(57)【要約】【課題】ピギーバック方式ＡＣＫ／ＮＡＣＫビットマップフィールドと共にアップリンクデータブロック伝送を割り当て、伝送するシステムおよび方法を提供すること。【解決手段】移動局のための方法であって、ＤＢＣＣＩに対する要求を、ワイヤレスチャネルを介して受信することと、該要求に応答して、ＤＢＣＣＩに対する該要求のために使用されるタイムスロットに対応する少なくとも１つのタイムスロットを用いてＤＢＣＣＩを伝送することと、該移動局がＤＢＣＣＩに対する要求に応答している少なくとも１つの無線ブロック期間内で特定の順序から外れてデータブロックを送信することであって、該特定の順序は、データブロックと共に送信されるべき制御情報がない場合に、データブロック伝送をアップリンクするために適用される順序である、こととを包含する、方法。【選択図】図５
2010226722.tif 000002
【特許請求の範囲】
【請求項１】
移動局のための方法であって、該方法は、
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する要求を、ワイヤレスチャネルを介して受信することと、
該要求に応答して、ＤＢＣＣＩに対する該要求のために使用されるタイムスロットに対応する少なくとも１つのタイムスロットを用いてＤＢＣＣＩを伝送することと、
該移動局がＤＢＣＣＩに対する要求に応答している少なくとも１つの無線ブロック期間内で特定の順序から外れてデータブロックを送信することであって、該特定の順序は、データブロックと共に送信されるべき制御情報がない場合に、データブロック伝送をアップリンクするために適用される順序である、ことと
を包含する、方法。
【請求項２】
前記要求に応答して、ＤＢＣＣＩに対する該要求のために使用されるタイムスロットに対応する少なくとも１つのタイムスロットを用いてＤＢＣＣＩを伝送することは、
該要求のために使用されるダウンリンクスロットと同一番号のアップリンクスロットを用いてＢＴＴＩブロックを伝送することを包含する、請求項１に記載の方法。
【請求項３】
前記要求に応答して、ＤＢＣＣＩに対する該要求のために使用されるタイムスロットに対応する少なくとも１つのタイムスロットを用いてＤＢＣＣＩを伝送することは、
該要求のために使用されるダウンリンクスロットペアに対応するアップリンクスロットペアを用いてＲＴＴＩブロックを伝送することを包含する、請求項１に記載の方法。
【請求項４】
少なくとも１つのＵＡＤＢ（データブロックに対するアップリンク割り当て）を受信することであって、各ＵＡＤＢは、それぞれのアップリンクブロックの割り当てを示す、ことと、
該少なくとも１つのＵＡＤＢによって割り当てられる、前記ＤＢＣＣＩを伝送するために使用されるタイムスロット以外の（１つまたは複数の）アップリンクタイムスロットを用いて、所与の無線ブロック期間内に１つ以上のアップリンクデータブロックを伝送することであって、このようなデータブロックは、それぞれ、該ＤＢＣＣＩの一部として送信される（１つまたは複数の）データブロックの（１つまたは複数の）ブロックシーケンス番号よりも大きいブロックシーケンス番号を有する、ことと
をさらに包含する、請求項１に記載の方法。
【請求項５】
前記特定の順序は、ブロックシーケンス番号順序で発生する初期の伝送を含む、請求項１に記載の方法。
【請求項６】
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する前記要求は、ＲＬＣ（無線リンク制御）データブロックに対するポーリング＋ＰＡＮ（ピギーバック方式ＡＣＫ／ＮＡＣＫ）である、請求項１に記載の方法。
【請求項７】
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する前記要求は、ＲＬＣ（無線リンク制御）データブロックに対するポーリング＋ＰＡＮ（ピギーバック方式ＡＣＫ／ＮＡＣＫ）である、請求項２に記載の方法。
【請求項８】
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する前記要求は、ＲＬＣ（無線リンク制御）データブロックに対するポーリング＋ＰＡＮ（ピギーバック方式ＡＣＫ／ＮＡＣＫ）である、請求項３に記載の方法。
【請求項９】
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する前記要求は、ＲＬＣ（無線リンク制御）データブロックに対するポーリング＋ＰＡＮ（ピギーバック方式ＡＣＫ／ＮＡＣＫ）である、請求項４に記載の方法。
【請求項１０】
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する前記要求は、ＲＬＣ（無線リンク制御）データブロックに対するポーリング＋ＰＡＮ（ピギーバック方式ＡＣＫ／ＮＡＣＫ）である、請求項５に記載の方法。
【請求項１１】
各ＵＡＤＢは、ＵＳＦ（アップリンク状態フラグ）である、請求項４に記載の方法。
【請求項１２】
各ＵＡＤＢは、ＵＳＦ（アップリンク状態フラグ）である、請求項６に記載の方法。
【請求項１３】
コンピュータ読み取り可能な媒体であって、その上に移動局による実行のためのコンピュータ実行可能な命令が格納され、該コンピュータ実行可能な命令は、実行されると、
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する要求を、ワイヤレスチャネルを介して受信することと、
該要求に応答して、ＤＢＣＣＩに対する該要求のために使用されるタイムスロットに対応する少なくとも１つのタイムスロットを用いてＤＢＣＣＩを伝送することと、
該移動局がＤＢＣＣＩに対する要求に応答している少なくとも１つの無線ブロック期間内で特定の順序から外れてデータブロックを送信することであって、該特定の順序は、データブロックと共に送信されるべき制御情報がない場合に、データブロック伝送をアップリンクするために適用される順序である、ことと
を包含する方法を該移動局に実行させる、コンピュータ読み取り可能な媒体。
【請求項１４】
前記方法は、
前記要求に応答して、ＤＢＣＣＩに対する該要求のために使用されるタイムスロットに対応する少なくとも１つのタイムスロットを用いてＤＢＣＣＩを伝送することをさらに包含し、該伝送することは、
該要求のために使用されるダウンリンクスロットと同一番号のアップリンクスロットを用いてＢＴＴＩブロックを伝送することを包含する、請求項１３に記載のコンピュータ読み取り可能な媒体。
【請求項１５】
前記要求に応答して、ＤＢＣＣＩに対する該要求のために使用されるタイムスロットに対応する少なくとも１つのタイムスロットを用いてＤＢＣＣＩを伝送することは、
該要求のために使用されるダウンリンクスロットペアに対応するアップリンクスロットペアを用いてＲＴＴＩブロックを伝送することを包含する、請求項１３にコンピュータ読み取り可能な媒体。
【請求項１６】
少なくとも１つのＵＡＤＢ（データブロックに対するアップリンク割り当て）を受信することであって、各ＵＡＤＢは、それぞれのアップリンクブロックの割り当てを示す、ことと、
該少なくとも１つのＵＡＤＢによって割り当てられる、前記ＤＢＣＣＩを伝送するために使用されるタイムスロット以外の（１つまたは複数の）アップリンクタイムスロットを用いて、所与の無線ブロック期間内に１つ以上のアップリンクデータブロックを伝送することであって、このようなデータブロックは、それぞれ、該ＤＢＣＣＩの一部として送信される（１つまたは複数の）データブロックの（１つまたは複数の）ブロックシーケンス番号よりも大きいブロックシーケンス番号を有する、ことと
をさらに包含する、請求項１３に記載のコンピュータ読み取り可能な媒体。
【請求項１７】
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する前記要求は、ＲＬＣ（無線リンク制御）データブロックに対するポーリング＋ＰＡＮ（ピギーバック方式ＡＣＫ／ＮＡＣＫ）である、請求項１３に記載のコンピュータ読み取り可能な媒体。
【請求項１８】
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する前記要求は、ＲＬＣ（無線リンク制御）データブロックに対するポーリング＋ＰＡＮ（ピギーバック方式ＡＣＫ／ＮＡＣＫ）である、請求項１６に記載のコンピュータ読み取り可能な媒体。
【請求項１９】
移動局であって、
少なくとも１つのアンテナと、
少なくとも１つのワイヤレスアクセス無線と、
複数のコンポーネントのうちの１つまたは１つの組み合わせと
を備え、該複数のコンポーネントは、
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する要求を、ワイヤレスチャネルを介して受信することと、
該要求に応答して、ＤＢＣＣＩに対する該要求のために使用されるタイムスロットに対応する少なくとも１つのタイムスロットを用いてＤＢＣＣＩを伝送することと、
該移動局がＤＢＣＣＩに対する要求に応答している少なくとも１つの無線ブロック期間内で特定の順序から外れてデータブロックを送信することであって、該特定の順序は、データブロックと共に送信されるべき制御情報がない場合に、データブロック伝送をアップリンクするために適用される順序である、ことと
を行うために該移動局を制御するように構成されている、移動局。
【請求項２０】
前記複数のコンポーネントのうちの１つまたは１つの組み合わせは、
前記要求に応答して、ＤＢＣＣＩに対する該要求のために使用されるタイムスロットに対応する少なくとも１つのタイムスロットを用いてＤＢＣＣＩを伝送することを行うために前記移動局を制御するように構成され、該伝送することは、
該要求のために使用されるダウンリンクスロットと同一番号のアップリンクスロットを用いてＢＴＴＩブロックを伝送する、請求項１９に記載の移動局。
【請求項２１】
前記複数のコンポーネントのうちの１つまたは１つの組み合わせは、
前記要求に応答して、ＤＢＣＣＩに対する該要求のために使用される前記タイムスロットに対応する少なくとも１つのタイムスロットを用いてＤＢＣＣＩを伝送することを行うために前記移動局を制御するように構成され、該伝送することは、
該要求のために使用されるダウンリンクスロットペアに対応するアップリンクスロットペアを用いてＲＴＴＩブロックを伝送することを包含する、請求項１９に記載の移動局。
【請求項２２】
前記複数のコンポーネントのうちの１つまたは１つの組み合わせは、
少なくとも１つのＵＡＤＢ（データブロックに対するアップリンク割り当て）を受信することであって、各ＵＡＤＢは、それぞれのアップリンクブロックの割り当てを示す、ことと、
該少なくとも１つのＵＡＤＢによって割り当てられる、前記ＤＢＣＣＩを伝送するために使用されるタイムスロット以外の（１つまたは複数の）アップリンクタイムスロットを用いて、所与の無線ブロック期間内に１つ以上のアップリンクデータブロックを伝送することであって、このようなデータブロックは、それぞれ、該ＤＢＣＣＩの一部として送信される（１つまたは複数の）データブロックの（１つまたは複数の）ブロックシーケンス番号よりも大きいブロックシーケンス番号を有する、ことと
を行うために前記移動局を制御するようにさらに構成される、請求項１９に記載の移動局。
【請求項２３】
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する前記要求は、ＲＬＣ（無線リンク制御）データブロックに対するポーリング＋ＰＡＮ（ピギーバック方式ＡＣＫ／ＮＡＣＫ）である、請求項１９に記載の移動局。
【請求項２４】
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する前記要求は、ＲＬＣ（無線リンク制御）データブロックに対するポーリング＋ＰＡＮ（ピギーバック方式ＡＣＫ／ＮＡＣＫ）である、請求項２１に記載の移動局。
【発明の詳細な説明】
【技術分野】
【０００１】
（分野）
本願は、２００９年３月２３日に出願された米国仮特許出願第６１／１６２，５５０号の利益を主張し、本明細書において、この仮出願はその全体が参照により援用される。
【０００２】
（出願の分野）
本願は、ピギーバック方式ＡＣＫ／ＮＡＣＫビットマップフィールドと共にアップリンクデータブロック伝送を割り当て、伝送するシステムおよび方法に関する。
【背景技術】
【０００３】
（背景）
一部のワイヤレス電気通信システムは、時分割多重化スキームを用いる。利用可能な伝送時間は、複数のスロットに分割される。例として、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）の場合、時間は８個のスロットの複数の組に分割される。８個のスロットの各組は、総称的にフレームという。
【０００４】
この説明において、アサインメントとは、所与の移動局に対して利用可能にされた複数のスロットを識別するために使用される信号方式をいう。単方向のデータフローにアサインされたスロットの組は、ＴＢＦ（時間ブロックフロー）という。ＴＢＦは、単方向のエンティティであり、アップリンクＴＢＦは、アップリンクアサインメント／割り当てに関し、ダウンリンクＴＢＦは、ダウンリンクアサインメント／割り当てに関する。
【０００５】
この説明において、割り当ては、特定のスロット上での実際のデータの受信／伝送をいう。割り当ては、必然的に利用可能なアサインメントのサブセットまたは全てである。複数の移動局は、同一のアサインメントまたは重なるアサインメントを有し得、割り当ては衝突を避けるために使用される。
【０００６】
ＧＳＭフレーム定義によって、アップリンクに対するスロットナンバリングは、ダウンリンクに対するスロットナンバリングとずれており、その結果、同一の番号を有するダウンリンクスロットとアップリンクスロットとは、移動局が同時に受信および伝送をすることなしに、ダウンリンクおよびアップリンクの両方にアサインされ得、割り当てられ得る。所与の移動局に対して、所与のフレーム内の同一の物理時間スロットは、アップリンクまたはダウンリンクの両方ではなくいずれかにアサインされ得、そして／または割り当てられ得る。しかし、上記のずれているナンバリングに起因して、同一のスロット番号を有する所与のフレーム内のスロットは、アップリンクおよびダウンリンクの両方にアサインされ得、割り当てられ得る。
【０００７】
所与のエリア内の複数の移動局は、これらの時間スロットを共有する。各移動局がデータを有する場合にはいつでも、各移動局は、アップリンク割り当てメカニズムに基づいて、アップリンク方向にデータを送信する。ネットワークは、また、これらのスロット上で、複数の移動局に対してデータを送信する。例えば、第１のフレームにおいて、スロット０は、第１の移動局に対するデータを含み得るが、次のフレームにおいて、同一のスロットは、第２の移動局に対するデータを含み得る。スロットは、非常に小さな時間単位であるので、スロットは複数の連続したフレーム上で１つの移動局に割り当てられ得る。例えば、ＢＴＴＩ（基本伝送時間間隔）ブロックは、４つの連続したフレーム上に割り当てられた１つのスロットを含む。例えば、フレーム１スロット１、フレーム２スロット１、フレーム３スロット１およびフレーム４スロット１は、ＢＴＴＩブロックを構成し得る。同一の実装において、フレームは、約５ｍｓの持続時間であり、その結果、ＢＴＴＩブロックは、４つのフレーム上に、または２０ｍｓ間隔で広がる。ＢＴＴＩ  ＴＢＦは、ＢＴＴＩブロックを用いるＴＢＦである。
【０００８】
ＲＴＴＩ（低減伝送時間間隔）ブロックは、上記で導入されたものと同一のフレームを用いるが、ＲＴＴＩブロックは、第１フレームの間は一対のスロットからなり、次のフレームの間は一対のスロットからなり、その結果、ＲＴＴＩブロックは、２つのフレームまたは１０ｍｓ間隔にわたって広がる。ＲＴＴＩ  ＴＢＦは、ＲＴＴＩブロックを利用するＴＢＦである。ＢＴＴＩ  ブロックに対して、ＲＴＴＩブロックに対する伝送間隔は、半分まで低減される。
【０００９】
無線ブロックは、４バーストの集合であり、この４バーストの集合は、ＲＬＣ／ＭＡＣデータブロック、ＰＡＣＣＨブロックなどを送信するために使用される。この説明において参照される全ての伝送は、４バースト無線ブロックとして送信される。ＢＴＴＩ（基本伝送時間間隔）に対しては、無線ブロックが、４フレームにおいて同一のタイムスロット番号を用いて送信され、ＲＴＴＩ（低減された伝送時間間隔）に対しては、無線ブロックは、２フレームにおいて２つのタイムスロットを用いて送信される。無線ブロック期間は、４または２ＴＤＭＡフレームの持続時間であり、これらのフレームにおいて、無線ブロックが送信される。アップリンク伝送に対する割り当ては、ＢＴＴＩブロックを、４ＴＤＭＡフレームの各々において同一のタイムスロットに割り当るか、または、ＲＴＴＩブロックを、２ＴＤＭＡフレームの各々において２つのタイムスロットに割り当てる。
【００１０】
８タイムスロットに各々分割されるダウンリンクフレーム３０およびアップリンクフレーム３２の例が図１Ａに示される。ダウンリンクフレームは、アップリンクフレームから時間においてずれており、その結果、同時に伝送および受信する必要なしに、移動局はダウンリンクフレームにおいて、タイムスロット＃ｎを受信し得、アップリンクフレームにおいて、タイムスロット＃ｎを有するタイムスロットに応答して伝送し得る。
【００１１】
アップリンクＢＴＴＩ割り当てを行うために、ネットワークは、前のブロック期間のダウンリンクスロットにおいて、ダウンリンクＢＴＴＩブロックの間にＵＳＦ（アップリンク状態フラグ）を伝送する。移動局は、ＵＳＦを伝送するために使用されるダウンリンクスロットの番号と同一の番号を有するアップリンクＢＴＴＩのアップリンク伝送のためのタイムスロットがそれにより割り当てられる。図１Ａは、単一のＢＴＴＩブロックのダウンリンク伝送の例を示し、単一のＢＴＴＩブロックは４０で示され、４つの連続ダウンリンクフレームの各々の第１のスロットを含み、４１におけるＢＴＴＩアップリンク割り当ては、４つの連続アップリンクフレームの各々の第１のスロットを含む。例示される例において、前のブロック期間（図示せず）の４つのダウンリンクスロットは、また、ＢＴＴＩアップリンクブロック４１を移動局に割り当てる移動局に対するＵＳＦを含む。ＢＴＴＩのＵＳＦは、ＢＴＴＩブロックと共に送信され、ＵＳＦが送信された後に、ＢＴＴＩ無線ブロック期間においてアップリンクブロックを割り当てる。図１Ｂは、５０で概して示されるＲＴＴＩダウンリンク伝送と、５１において概して示されるＲＴＴＩアップリンク伝送との例を示す。この例において、ＲＴＴＩブロックは、タイムスロット＃１、＃２上でダウンリンクにおいて移動局に伝送され、タイムスロット＃１、＃２上で無線ブロック期間（図示せず）において、ＵＳＦ信号方式によって伝送され、これらのスロットは、タイムスロット＃１、＃２からなるダウンリンクペアに「対応するスロットペア」または「対応するＰＤＣＨ（パケットデータチャネル）ペア」として定義される。この例において、アップリンクスロットは、アップリンク割り当ての目的のためにＵＳＦを伝送するために用いられるダウンリンクスロットの場合と同一であるが、このことは、ＲＴＴＩ割り当てを用いる場合には常にはあてはまらない。ＲＴＴＩ  ＵＳＦモード中のＵＳＦは、ＲＴＴＩブロックと同様に送信され（すなわち、これらは２つの連続フレームにわたり一対のスロットを占める）、ＵＳＦが送信された後、２つのフレーム内の対応するアップリンクタイムスロット上のＲＴＴＩブロックを指示する。２つのＢＴＴＩ  ＵＳＦが２つのＲＴＴＩブロックを割り当てるために使用されるＲＴＴＩ割り当てのハイブリッドバージョンも存在する。具体的には、第１のＢＴＴＩ  ＵＳＦは、４つのフレームのうちの最初の２つのフレームにＲＴＴＩ無線ブロックを割り当て、その後に２つのＢＴＴＩ  ＵＳＦが続き、第２のＢＴＴＩ  ＵＳＦは、４つのフレームのうちの二番目の２つのフレームにＲＴＴＩブロックを割り当て、その後に２つのＢＴＴＩ  ＵＳＦが続く。
【００１２】
歴史的に、より具体的には、最新で３ＧＰＰリリース６を含んで、ダウンリンクブロックのヘッダ内で、ＲＲＢＰ（逆無線ブロック期間）またはＥＳ／Ｐ（ＥＧＰＲＳ補助／ポーリング）フィールドを用いたネットワークによるポーリングは、２つの機能：
ａ）伝送のために、移動局に対して、将来的に特定のアップリンクブロックを割り当てる機能
ｂ）そのブロックのコンテンツを、移動局に示す機能
を行う。
【００１３】
初期の仕様（すなわち、最新で、３ＧＰＰリリース６を含む）において、ポーリングに応答して移動局によって送信されるべきアップリンクブロックは、常に、ＰＡＣＣＨ（パケット関連制御チャネル）上で送信され、典型的には、応答はダウンリンクＡＣＫ／ＮＡＣＫ（肯定応答／否定応答）メッセージ（例えば、ＥＧＰＲＳパケットダウンリンクＡＣＫ／ＮＡＣＫメッセージ）である。ＰＡＣＣＨブロックに対して、ネットワークによってポーリングされる場合には、３ＧＰＰ  ＴＳ  ４４．０６０  ｖ７．１５．０  セクション１０．４．５に関する仕様から、応答メッセージは、ポーリングが受信された場合と同一のタイムスロット番号上で送信されなければならないことが明らかである。この例は図２に示されている。図２において、ネットワークは１０で示され、移動局は１２で示される。フレーム＃ｘおよびタイムスロット＃ｎにおいて、１４においてＰＡＣＣＨブロックに対するポーリングを伝送するネットワーク１０が示される。初期の仕様において、ポーリングは、ＲＲＢＰのコンテンツ、ＥＳ／Ｐフィールドによって示される。フレーム＃ｘおよびタイムスロット＃ｎは、単純に、ネットワークによって選択されるようなフレーム番号およびタイムスロット番号を表し、ここで、ポーリングを含む無線ブロックの第１のバーストが伝送される。応答して、移動局１２は、フレーム＃ｙ、タイムスロット＃ｎで開始する、１６において示されるようなＰＡＣＣＨブロック（例えば、ＥＧＰＲＳパケットダウンリンクＡＣＫ／ＮＡＣＫ）を伝送する。フレーム＃ｙおよびタイムスロット＃ｎは、ポーリングへの応答を含む無線ブロックの第１のバーストを伝送するために移動局によって使用されるフレーム番号およびタイムスロット番号を表す。明確さのために、これらの無線ブロックの後に続くバーストの伝送が示されていない。タイムスロット＃ｎは、ポーリングを伝送するためにネットワークによって用いられるものと同一である。さらに、フレーム番号ｘとｙとの間の関係は、ポーリングメッセージによって明確に記載される（例えば、３ＧＰＰ  ＴＳ  ４４．０６０の１０．４．４ｂ、１０．４．５を参照）。
【００１４】
３ＧＰＰリリース７において、モバイルがピギーバック方式ＡＣＫ／ＮＡＣＫビットマップフフィールド（ＰＡＮ）によってＲＬＣ／ＭＡＣデータブロックを伝送することを示すためにポーリングに可能性が追加された。これは、新たに定義されたＣＥＳ／Ｐ（組み合わせＥＧＰＲＳ補助／ポーリング）フィールド内のビットの適切な設定によって要求される。このようなポーリングは、ダウンリンクデータブロック内に含まれ、ポーリング応答が開始するフレームを示す。ポーリングはＢＴＴＩモードにおいて送信され得るか（これは４フレームに対して同一のスロットにおいて送信され得ることを意味する）、またはＲＴＴＩモードで送信され得る（２つのフレームに対して一対のスロットにおいて送信され得ることを意味する）。移動局は、アップリンクの予約されたブロックがＲＴＴＩを使用するか否かを知っており、応答を送信することを理解し得る。
【００１５】
通常、データブロックの伝送に対するアップリンク無線リソースに対する割り当ては、ＵＳＦによって信号送信され、このＵＳＦは、無線ブロック期間のすぐ直前の無線ブロックにおいて送信され、この期間において、上述されるようにアップリンク割り当てが有効である。
【００１６】
ＰＡＮと共にＲＬＣ／ＭＡＣブロックを伝送する必要なしに、アップリンクデータ転送に対する割り当てを有することを決定する移動局と、割り当てられたアップリンクブロック伝送時間との間の比較的短い時間にかかわらず、このことは、処理／符号化に対する問題とはならない。なぜならば、符号化は、データブロックが伝送されるとき（特に、タイムスロット番号においてデータブロックが送信されるとき）に正確に依存しないので、先に無線を符号化することは可能であるからである。
【００１７】
所与のブロック期間にアップリンク伝送を要求するポーリングが、同一の無線ブロック期間にリソースを割り当てるＵＳＦよりもかなり早く送信されることに留意されたい。ポーリングおよびＵＳＦは、同一のアップリンク伝送機会を指し得ることが可能である。これは、スケジューリングを行う場合に、ネットワークによって考慮される。
【発明の概要】
【課題を解決するための手段】
【００１８】
（概要）
本開示の広い局面は、移動局に対する方法を提供し、その方法は、ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する要求を、ワイヤレスチャネルを介して受信することと、該要求に応答して、ＤＢＣＣＩに対する該要求のために使用されるタイムスロットに対応する少なくとも１つのタイムスロットを用いてＤＢＣＣＩを伝送することと、該移動局がＤＢＣＣＩに対する要求に応答する少なくとも１つの無線ブロック期間内で特定の順序から外れてデータブロックを送信することであって、該特定の順序は、データブロックと共に送信されるべき制御情報がない場合に、データブロック伝送をアップリンクするために適用される順序である、こととを包含する。
【００１９】
一部の実施形態において、要求に応答して、ＤＢＣＣＩに対する該要求のために使用されるタイムスロットに対応する少なくとも１つのタイムスロットを用いてＤＢＣＣＩを伝送することは、該要求のために使用されるダウンリンクスロットと同一番号のアップリンクスロットを用いてＢＴＴＩブロックを伝送することを包含する。
【００２０】
一部の実施形態において、要求に応答して、ＤＢＣＣＩに対する該要求のために使用されるタイムスロットに対応する少なくとも１つのタイムスロットを用いてＤＢＣＣＩを伝送することは、該要求のために使用されるダウンリンクスロットペアに対応するアップリンクスロットペアを用いてＲＴＴＩブロックを伝送することを包含する。
【００２１】
一部の実施形態において、この方法は、少なくとも１つのＵＡＤＢ（データブロックに対するアップリンク割り当て）を受信することであって、各ＵＡＤＢは、それぞれのアップリンクブロックの割り当てを示す、ことと、該少なくとも１つのＵＡＤＢによって割り当てられる、このＤＢＣＣＩを伝送するために使用されるタイムスロット以外の（１つまたは複数の）アップリンクタイムスロットを用いて、所与の無線ブロック期間内に１つ以上のアップリンクデータブロックを伝送することであって、このようなデータブロックは、それぞれ、該ＤＢＣＣＩの一部として送信される（１つまたは複数の）データブロックの（１つまたは複数の）ブロックシーケンス番号よりも大きいブロックシーケンス番号を有する、こととをさらに包含する。
【００２２】
一部の実施形態において、特定の順序は、ブロックシーケンス番号順序において発生する初期の伝送を含む。
【００２３】
一部の実施形態において、ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する要求は、ＲＬＣ（無線リンク制御）データブロックに対するポーリング＋ＰＡＮ（ピギーバック方式ＡＣＫ／ＮＡＣＫ）である。
【００２４】
一部の実施形態において、各ＵＡＤＢは、ＵＳＦ（アップリンク状態フラグ）である。
【００２５】
本開示の別の局面は、コンピュータ読み取り可能な媒体を提供し、該媒体上に移動局による実行のためのコンピュータ実行可能な命令が格納され、該コンピュータ実行可能な命令は、実行されると、上記で概略された方法のうちの任意の方法を移動局に実行させる。
【００２６】
本開示の別の局面は、上記で概略された方法のうちの任意の方法を実行するように構成される移動局を提供する。
【００２７】
例えば、本発明は以下の項目を提供する。
（項目１）
移動局のための方法であって、該方法は、
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する要求を、ワイヤレスチャネルを介して受信することと、
該要求に応答して、ＤＢＣＣＩに対する該要求のために使用されるタイムスロットに対応する少なくとも１つのタイムスロットを用いてＤＢＣＣＩを伝送することと、
該移動局がＤＢＣＣＩに対する要求に応答している少なくとも１つの無線ブロック期間内で特定の順序から外れてデータブロックを送信することであって、該特定の順序は、データブロックと共に送信されるべき制御情報がない場合に、データブロック伝送をアップリンクするために適用される順序である、ことと
を包含する、方法。
（項目２）
上記要求に応答して、ＤＢＣＣＩに対する該要求のために使用されるタイムスロットに対応する少なくとも１つのタイムスロットを用いてＤＢＣＣＩを伝送することは、
該要求のために使用されるダウンリンクスロットと同一番号のアップリンクスロットを用いてＢＴＴＩブロックを伝送することを包含する、上記項目のいずれかに記載の方法。
（項目３）
上記要求に応答して、ＤＢＣＣＩに対する該要求のために使用されるタイムスロットに対応する少なくとも１つのタイムスロットを用いてＤＢＣＣＩを伝送することは、
該要求のために使用されるダウンリンクスロットペアに対応するアップリンクスロットペアを用いてＲＴＴＩブロックを伝送することを包含する、上記項目のいずれかに記載の方法。
（項目４）
少なくとも１つのＵＡＤＢ（データブロックに対するアップリンク割り当て）を受信することであって、各ＵＡＤＢは、それぞれのアップリンクブロックの割り当てを示す、ことと、
該少なくとも１つのＵＡＤＢによって割り当てられる、上記ＤＢＣＣＩを伝送するために使用されるタイムスロット以外の（１つまたは複数の）アップリンクタイムスロットを用いて、所与の無線ブロック期間内に１つ以上のアップリンクデータブロックを伝送することであって、このようなデータブロックは、それぞれ、該ＤＢＣＣＩの一部として送信される（１つまたは複数の）データブロックの（１つまたは複数の）ブロックシーケンス番号よりも大きいブロックシーケンス番号を有する、ことと
をさらに包含する、上記項目のいずれかに記載の方法。
（項目５）
上記特定の順序は、ブロックシーケンス番号順序で発生する初期の伝送を含む、上記項目のいずれかに記載の方法。
（項目６）
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する上記要求は、ＲＬＣ（無線リンク制御）データブロックに対するポーリング＋ＰＡＮ（ピギーバック方式ＡＣＫ／ＮＡＣＫ）である、上記項目のいずれかに記載の方法。
（項目７）
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する上記要求は、ＲＬＣ（無線リンク制御）データブロックに対するポーリング＋ＰＡＮ（ピギーバック方式ＡＣＫ／ＮＡＣＫ）である、上記項目のいずれかに記載の方法。
（項目８）
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する上記要求は、ＲＬＣ（無線リンク制御）データブロックに対するポーリング＋ＰＡＮ（ピギーバック方式ＡＣＫ／ＮＡＣＫ）である、上記項目のいずれかに記載の方法。
（項目９）
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する上記要求は、ＲＬＣ（無線リンク制御）データブロックに対するポーリング＋ＰＡＮ（ピギーバック方式ＡＣＫ／ＮＡＣＫ）である、上記項目のいずれかに記載の方法。
（項目１０）
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する上記要求は、ＲＬＣ（無線リンク制御）データブロックに対するポーリング＋ＰＡＮ（ピギーバック方式ＡＣＫ／ＮＡＣＫ）である、上記項目のいずれかに記載の方法。
（項目１１）
各ＵＡＤＢは、ＵＳＦ（アップリンク状態フラグ）である、上記項目のいずれかに記載の方法。
（項目１２）
各ＵＡＤＢは、ＵＳＦ（アップリンク状態フラグ）である、上記項目のいずれかに記載の方法。
（項目１３）
コンピュータ読み取り可能な媒体であって、その上に移動局による実行のためのコンピュータ実行可能な命令が格納され、該コンピュータ実行可能な命令は、実行されると、
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する要求を、ワイヤレスチャネルを介して受信することと、
該要求に応答して、ＤＢＣＣＩに対する該要求のために使用されるタイムスロットに対応する少なくとも１つのタイムスロットを用いてＤＢＣＣＩを伝送することと、
該移動局がＤＢＣＣＩに対する要求に応答している少なくとも１つの無線ブロック期間内で特定の順序から外れてデータブロックを送信することであって、該特定の順序は、データブロックと共に送信されるべき制御情報がない場合に、データブロック伝送をアップリンクするために適用される順序である、ことと
を包含する方法を該移動局に実行させる、コンピュータ読み取り可能な媒体。
（項目１４）
上記方法は、
上記要求に応答して、ＤＢＣＣＩに対する該要求のために使用されるタイムスロットに対応する少なくとも１つのタイムスロットを用いてＤＢＣＣＩを伝送することをさらに包含し、該伝送することは、
該要求のために使用されるダウンリンクスロットと同一番号のアップリンクスロットを用いてＢＴＴＩブロックを伝送することを包含する、上記項目のいずれかに記載のコンピュータ読み取り可能な媒体。
（項目１５）
上記要求に応答して、ＤＢＣＣＩに対する該要求のために使用されるタイムスロットに対応する少なくとも１つのタイムスロットを用いてＤＢＣＣＩを伝送することは、
該要求のために使用されるダウンリンクスロットペアに対応するアップリンクスロットペアを用いてＲＴＴＩブロックを伝送することを包含する、上記項目のいずれかにコンピュータ読み取り可能な媒体。
（項目１６）
少なくとも１つのＵＡＤＢ（データブロックに対するアップリンク割り当て）を受信することであって、各ＵＡＤＢは、それぞれのアップリンクブロックの割り当てを示す、ことと、
該少なくとも１つのＵＡＤＢによって割り当てられる、上記ＤＢＣＣＩを伝送するために使用されるタイムスロット以外の（１つまたは複数の）アップリンクタイムスロットを用いて、所与の無線ブロック期間内に１つ以上のアップリンクデータブロックを伝送することであって、このようなデータブロックは、それぞれ、該ＤＢＣＣＩの一部として送信される（１つまたは複数の）データブロックの（１つまたは複数の）ブロックシーケンス番号よりも大きいブロックシーケンス番号を有する、ことと
をさらに包含する、上記項目のいずれかに記載のコンピュータ読み取り可能な媒体。
（項目１７）
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する上記要求は、ＲＬＣ（無線リンク制御）データブロックに対するポーリング＋ＰＡＮ（ピギーバック方式ＡＣＫ／ＮＡＣＫ）である、上記項目のいずれかに記載のコンピュータ読み取り可能な媒体。
（項目１８）
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する上記要求は、ＲＬＣ（無線リンク制御）データブロックに対するポーリング＋ＰＡＮ（ピギーバック方式ＡＣＫ／ＮＡＣＫ）である、上記項目のいずれかに記載のコンピュータ読み取り可能な媒体。
（項目１９）
移動局であって、
少なくとも１つのアンテナと、
少なくとも１つのワイヤレスアクセス無線と、
複数のコンポーネントのうちの１つまたは１つの組み合わせと
を備え、該複数のコンポーネントは、
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する要求を、ワイヤレスチャネルを介して受信することと、
該要求に応答して、ＤＢＣＣＩに対する該要求のために使用されるタイムスロットに対応する少なくとも１つのタイムスロットを用いてＤＢＣＣＩを伝送することと、
該移動局がＤＢＣＣＩに対する要求に応答している少なくとも１つの無線ブロック期間内で特定の順序から外れてデータブロックを送信することであって、該特定の順序は、データブロックと共に送信されるべき制御情報がない場合に、データブロック伝送をアップリンクするために適用される順序である、ことと
を行うために該移動局を制御するように構成されている、移動局。
（項目２０）
上記複数のコンポーネントのうちの１つまたは１つの組み合わせは、
上記要求に応答して、ＤＢＣＣＩに対する該要求のために使用されるタイムスロットに対応する少なくとも１つのタイムスロットを用いてＤＢＣＣＩを伝送することを行うために上記移動局を制御するように構成され、該伝送することは、
該要求のために使用されるダウンリンクスロットと同一番号のアップリンクスロットを用いてＢＴＴＩブロックを伝送する、上記項目のいずれかに記載の移動局。
（項目２１）
上記複数のコンポーネントのうちの１つまたは１つの組み合わせは、
上記要求に応答して、ＤＢＣＣＩに対する該要求のために使用される上記タイムスロットに対応する少なくとも１つのタイムスロットを用いてＤＢＣＣＩを伝送することを行うために上記移動局を制御するように構成され、該伝送することは、
該要求のために使用されるダウンリンクスロットペアに対応するアップリンクスロットペアを用いてＲＴＴＩブロックを伝送することを包含する、上記項目のいずれかに記載の移動局。
（項目２２）
上記複数のコンポーネントのうちの１つまたは１つの組み合わせは、
少なくとも１つのＵＡＤＢ（データブロックに対するアップリンク割り当て）を受信することであって、各ＵＡＤＢは、それぞれのアップリンクブロックの割り当てを示す、ことと、
該少なくとも１つのＵＡＤＢによって割り当てられる、上記ＤＢＣＣＩを伝送するために使用されるタイムスロット以外の（１つまたは複数の）アップリンクタイムスロットを用いて、所与の無線ブロック期間内に１つ以上のアップリンクデータブロックを伝送することであって、このようなデータブロックは、それぞれ、該ＤＢＣＣＩの一部として送信される（１つまたは複数の）データブロックの（１つまたは複数の）ブロックシーケンス番号よりも大きいブロックシーケンス番号を有する、ことと
を行うために上記移動局を制御するようにさらに構成される、上記項目のいずれかに記載の移動局。
（項目２３）
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する上記要求は、ＲＬＣ（無線リンク制御）データブロックに対するポーリング＋ＰＡＮ（ピギーバック方式ＡＣＫ／ＮＡＣＫ）である、上記項目のいずれかに記載の移動局。
（項目２４）
ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）に対する上記要求は、ＲＬＣ（無線リンク制御）データブロックに対するポーリング＋ＰＡＮ（ピギーバック方式ＡＣＫ／ＮＡＣＫ）である、上記項目のいずれかに記載の移動局。
【００２８】
（摘要）
ピギーバック方式ＡＣＫ／ＮＡＣＫビットマップフィールドによって、アップリンクデータブロック伝送を割り当て、伝送するシステムおよび方法が提供される。特定の例において、移動局は、ｄａｔａ  ｂｌｏｃｋ  ｃｏｍｂｉｎｅｄ  ｗｉｔｈ  ｃｏｎｔｒｏｌ  ｉｎｆｏｒｍａｔｉｏｎ（ＤＢＣＣＩ）に対する要求を受信する。移動局は、要求に対して使用されるタイムスロットに対応する少なくとも１つのタイムスロットを用いて、ＤＢＣＣＩを受信する。少なくとも一部の時間に、移動局は、その他の場合に使用されるもの（例えば、ブロックシーケンス順序）と異なる順序でデータブロックを送信する。
【図面の簡単な説明】
【００２９】
【図１Ａ】図１Ａは、ＢＴＴＩブロックの模式図である。
【図１Ｂ】図１Ｂは、ＢＴＴＩブロックの模式図である。
【図２】図２は、ＰＡＣＣＨブロックのポーリングのメッセージ交換の図である。
【図３】図３は、ＲＬＣデータブロック＋ＰＡＮのポーリングのメッセージ交換の図であり、ブロックＢＳＮ＝ｂでタイムスロット２内で伝送されたＰＡＮを示している。
【図４】図４は、ＲＬＣデータブロック＋ＰＡＮのポーリングのメッセージ交換の図であり、ブロックＢＳＮ＝ｂ＋１でタイムスロット２内で伝送されたＰＡＮを示している。
【図５】図５は、本願の実施形態に従ったＲＬＣデータブロック＋ＰＡＮのポーリングのメッセージ交換の図である。
【図６】図６は、本願の実施形態に従ったＲＬＣデータブロック＋ＰＡＮのポーリングのメッセージ交換の図である。
【図７】図７は、本願の実施形態に従ったＲＬＣデータブロック＋ＰＡＮのポーリングのメッセージ交換の図である。
【図８】図８は、同じアップリンク伝送機会を割り当てる、ポーリングとＵＳＦの両方を示しているメッセージ交換の図である。
【図９】図９は、本願の実施形態に従ったＲＬＣデータブロック＋ＰＡＮのポーリングのメッセージ交換の図である。
【図１０】図１０は、移動局の実装例のブロック図である。
【図１１】図１１は、移動局による、ＲＬＣデータブロック＋ＰＡＮのポーリングの受信を処理する方法のフローチャートを示す図である。
【図１２】図１２は、移動局による、ＲＬＣデータブロック＋ＰＡＮのポーリングの受信を処理する方法のフローチャートを示す図である。
【図１３】図１３は、移動局による、ＲＬＣデータブロック＋ＰＡＮのポーリングの受信を処理する方法のフローチャートを示す図である。
【図１４】図１４は、移動局による、ＲＬＣデータブロック＋ＰＡＮのポーリングの受信を処理する方法のフローチャートを示す図である。
【図１５】図１５は、移動局による、ＲＬＣデータブロック＋ＰＡＮのポーリングの受信を処理する方法のフローチャートを示す図である。
【図１６】図１６は、ネットワークにおいてスケジューリングを実行する方法のフローチャートを示す図である。
【図１７】図１７は、ネットワークにおけるＲＬＣデータブロック＋ＰＡＮのポーリングの伝送、および、移動局によるポーリングへの応答を実装するためのシステムのブロック図である。
【発明を実施するための形態】
【００３０】
ポーリングへの応答に使用される、ＰＡＮと共にＲＬＣ／ＭＡＣデータブロックを示すタイムスロットまたは複数のタイムスロットは、ポーリングに使用されるタイムスロットに対応する必要があることは、明確ではない。
【００３１】
アップリンク無線リソースに対する通常の割り当ては、上に定義されたようにＵＳＦの方法によってシグナルされる。アップリンクデータブロックの伝送のためのリソースは、また、上に記述されたように、ＲＬＣ／ＭＡＣデータブロック＋ＰＡＮのポーリングによって信号され得る。しかしながら、ただポーリングだけで、ＲＬＣ／ＭＡＣデータブロックの割り当てを示すために十分であるか、あるいは、代わりに、ネットワークが既存の規則に従わなければならないかは、明確ではない。その規則は、たとえ、ポーリングがＲＬＣデータブロックに対して同じアップリンクブロックのＰＡＮと共に送られても、データブロック送信のためのアップリンク割り当てがＵＳＦによって信号されなければならないというものである。
【００３２】
移動局が、アップリンク方向の（つまり、進行中のアップリンクＴＢＦを有して）１つ以上のタイムスロットを割り当てられ、移動局がネットワークによってポーリングされ、そして、所与の無線ブロック期間の間に、ＲＬＣデータブロックをＰＡＮと一緒に送るように指令された場合、移動局がブロックシーケンシング規則およびＰＡＮタイムスロット規則の両方に従うように要求されたならば、ポーリングへの応答が送信される無線ブロック期間のリソースを割り当てるＵＳＦフィールドのデコーディングの前に、移動局がデータブロックを正しくエンコードすることが可能ではない（あるいは、少なくとも非常に困難であり得る）ことがあり得る。ブロックシーケンシング規則およびＰＡＮタイムスロット規則は、
ブロックシーケンシング規則：  無線ブロック期間内の特定の順序に従ったデータブロックの伝送を確実にすること、（例えば、ＥＧＰＲＳ  ＲＬＣプロトコル、３ＧＰＰ  ＴＳ  ４４．０６０  副文節９．１．３．２．１  Ｖｅｒ  ７．１５．０を参照、例えば、２つのブロックの初期伝送に対して、シーケンス番号ｂのデータブロックが、ｂ＜ｃならば、シーケンス番号ｃのブロックである低位の番号のタイムスロットで開始して伝送されることを確実にすること）および
ＰＡＮタイムスロット規則：  ポーリングに使用されたのと同じ番号のタイムスロット上のＰＡＮを伝送すること。
ブロックシーケンス規則は、現状、未受領通知モードオペレーションを用いて送信されたデータブロックに関して、多くの場合で指令されている。例えば、３ＧＰＰ  ＴＳ  ４４．０６０  ９．３．３．０を参照のこと。３ＧＰＰ  ＴＳ  ４４．０６０  ｖ７．１５．０からは、移動局が割り当てられた場合に、ポーリングによって割り当てられた無線ブロックに加えて、ＵＳＦシグナリング、ポーリング応答が送信されるべき無線ブロック期間の１つ以上のアップリンク無線ブロックによって、どのタイムスロット上でＰＡＮを収容するＲＬＣデータブロックがアップリンク方向に伝送されるかについて、なんらかの特定の制限があるのかは明確でない。
【００３３】
ＲＬＣデータブロック（データブロックと組み合わされるべき任意のＰＡＮを含む）は、一般に、移動局に割り当てられるアップリンクブロックの数が知られる前に（つまり、アップリンク割り当てを信号するＵＳＦがデコードされる前に）、エンコードされる。しかしながら、ＰＡＮの位置は、いくつのアップリンクタイムスロットが、ポーリングが受信されたライムスロット番号よりも低位のタイムスロット番号を有している移動局に割り当てられているかに依存するので、ブロックシーケンス規則およびＰＡＮタイムスロット規則が、ＰＡＮのポーリングに対して従われなければならない場合、どのデータブロックがそれと組み合さられたＰＡＮを有しているべきか、移動局に割り当てられたアップリンクタイムスロットの数を知る前に、いつブロックがエンコードされるのか、移動局は判断できない。
【００３４】
応答に使用されるタイムスロット番号がポーリングに使用された番号と同じであると予想される場合、かつ、データブロックが順番に伝送されるように要求される場合の課題を例示する、次の例を考える。図３を参照すると、最初の例として、ネットワークが、１００において、タイムスロット＃２中のＲＬＣデータブロック＋ＰＡＮに対するポーリングを伝送する。その後、ネットワークは、１０２においてタイムスロット＃２に対するアップリンク割り当てを示すＵＳＦを含むブロックを伝送する。ＵＳＦは、ポーリングへの応答は同じタイムスロット上にあることを必要とすることを前提として、ポーリングと同じタイムスロットを参照する。応答として、移動局は、１０４においてＰＡＮと共にＲＬＣ／ＭＡＣデータブロックＢＳＮ（ブロックシーケンス番号）＝ｂを伝送する。命名法ＢＳＮ＝ｂは、ブロックがいくつかのシーケンス番号を有していることを単に意味する。これは、複数のブロックが考慮され、ブロックの順番が要因である場合に重要になる。ここで、図４を参照すると、第２の例として、ネットワークは、１１０においてタイムスロット＃２中のＲＬＣデータブロック＋ＰＡＮに対するポーリングを伝送する。その後、ネットワークは、タイムスロット＃１のアップリンク割り当てを示すＵＳＦを含むブロックを伝送する。そして、ネットワークは、タイムスロット＃２のアップリンク割り当てを示すＵＳＦを含むブロックを伝送する。応答として、移動局は、１１６においてタイムスロット＃１中のＲＬＣ／ＭＡＣブロックＢＳＮ＝ｂを伝送し、移動局は、１１８においてタイムスロット＃２中のＲＬＣ／ＭＡＣブロックをＢＳＮ＝ｂ＋１でＰＡＮと共に伝送する。ＲＬＣブロックの順序付けは、ブロックｂがブロックｂ＋１の前に伝送されるという点において、考慮されていると見られ得、また、ポーリングと同じタイムスロット上で、ポーリングへの応答を伝送する要求は、また、ＲＬＣ／ＭＡＣブロック＋ＰＡＮがタイムスロット＃２中で送信されるという点において、考慮されていると見られる。
【００３５】
図３と図４を比較すると、図３においては、ＢＳＮ＝ｂを有するＲＬＣブロックと共にＰＡＮが伝送されることがわかるが、一方、図４においては、ＢＳＮ＝ｂ＋１を有するＲＬＣブロックと共に、ＰＡＮが伝送されることがわかる。ＵＳＦが受信されるまでは、移動局は、上の例のどちらが起きるかを知ることはできない。これらの例から、ＰＡＮが送信されるタイムスロット番号はポーリングに使用された番号と同じであり、データブロックが順序通り伝送されるべきであると要求される場合、ＰＡＮがＢＳＮ＝ｂの無線ブロックによりエンコードされるべきか、あるいは、ＢＳＮ＝ｂ＋１の無線ブロックによるべきかを、移動局は、ＵＳＦを受信した後まで確信できないと予想されることが明らかである。ＵＳＦを含むブロックの受信の終了と、ブロックの伝送の開始との間に短い時間が与えられると（近似的に、１ＴＤＭＡフレーム期間）、移動局が、そのような短い時間にデータブロックをエンコードすることは非常に困難である。
【００３６】
移動局に、ＵＳＦの受信の前にデータブロックをエンコードできるオプションを与える様々な実施形態が提供されており、ＵＳＦの受信は、データブロック＋ＰＡＮのポーリングの受信にも拘わらず、そのデータブロックの送信を起動する。いくつかの実施形態では、これらの方法のうちの１つで動作する移動局の構成は、デバイス製造あるいはデバイス提供の間に、モバイルデバイスに適切なソフトウェア、ファームウェア、ハードウェアのインストールを介して達成される。他の実施形態では、移動局は、空中信号法を介して、これらの方法のうちの１つで働くように構成されている。
【００３７】
本明細書に記述されたいくつかの実施形態は、移動局の要請あるいは構成を参照することによって、そのブロックが、連続的なブロックシーケンス番号に従った順序で伝送され、より高いブロックシーケンス番号のブロックが、より低いブロックシーケンス番号のブロックの前に、伝送されないようにする。より一般には、これらの実施形態に対応する実施形態が提供され、その構成あるいは要請においては、この要請が、ブロックが特定の順序（これは、連続的な順序であるか、あるいはそうでないことがあり得る）に従って伝送されるべきであるとの構成あるいは要請と置き換えられ、例えば、再伝送を可能にする。連続的な順序での伝送は、特定の順序の伝送の特別な場合である。いくつかの実施形態においては、送信されるべきＰＡＮがない場合、特定の順序はアップリンクデータブロック伝送に適用される順序である。いくつかの実施形態において、特定の順序は、ブロックシーケンス番号順に起きる初期伝送を包含する。
【００３８】
本明細書に記述されたいくつかの実施形態は、移動局の要請あるいは構成を参照し、移動局が、連続的な順序から外れた（つまり、連続的なブロックシーケンス番号に従わないで）ブロックを伝送することを可能にすることによって、低いブロックシーケンス番号のブロックの前に、高いブロックシーケンス番号のブロックが伝送され得る。より一般的には、これらの実施形態に対応する実施形態が提供され、この構成あるいは要請においては、この構成あるいは要請が、それが何であろうとも、移動局の構成あるいは要請と置き換えられ、移動局が、特定の順序から外れたブロックを伝送することを可能にする。特定の順序は、ブロックシーケンス番号の連続的な順序であることも、そうでないこともあり得る。これは、例えば、再伝送を可能にできる。連続的な順序を外れた伝送は、特定の順序を外れた伝送の特別な場合である。
【００３９】
本開示の１つ以上の実施形態の例示的実装が、下に提供されているが、開示されたシステムおよび／または方法は、現状で公知であるかあるいは存在する、任意の数の技術を用いて実装され得ることが、最初に理解されるべきである。本開示は、例示の実装、図面、および、本明細書に例示され記述される設計例および実装を含む下に例示される技術、に限定されるべきではなく、添付の特許請求範囲の範囲内で、均等物のそれらの全範囲と共に修正され得る。
【００４０】
第１の実施形態−移動局が、ＰＡＮに対するポーリングに応答している無線ブロック期間内のＲＬＣデータブロックを順序を外れて送信することを可能にされるように構成する。
【００４１】
第１の実施形態において、移動局が、データブロックを事前にエンコードできるオプションを可能にするために、移動局は、ポーリングに使用されたものと同じタイムスロット番号を有するアップリンクタイムスロットを用いて、応答をＰＡＮを含むポーリングに伝送し、かつ、順序を外れて、ＰＡＮに対するポーリングに応答している無線ブロック期間内のＲＬＣデータブロックを送信することを可能にされるように構成されている。この場合、ネットワークは、そのような無線ブロック期間に受信されたブロックを再順序付けしなければならないことがある。
【００４２】
図２において前述されたようなネットワーク伝送を前提とすると、移動局の挙動は、図２と同じである。図３において前記述されたようなネットワーク伝送を前提とすると、移動局の応答は、図５に図示されたようになる。タイムスロット＃１において、移動局は、１２０で示されるように、ＢＳＮ＝ｂ＋１のＲＬＣ／ＭＡＣブロックを伝送する。タイムスロット＃２において、移動局は、１２２で示されるように、ＢＳＮ＝ｂのＲＬＣ／ＭＡＣブロックをＰＡＮと共に伝送する。ここで、タイムスロットの番号付けは、ＰＡＮが、タイムスロット＃２において伝送されるので、ポーリングに使用されたタイムスロットと同じ番号であると考慮される。しかしながら、ＲＬＣブロックは、ＢＳＮ＝ｂのブロックの前に伝送されている、ＢＳＮ＝ｂ＋１のブロックと共に、順序を外れて伝送される。しかしながら、このアプローチでは、移動局は、ポーリングが受信されるとすぐに、ＵＳＦを待つ必要なしに、ＢＳＮ＝ｂ＋ＰＡＮのＲＬＣ／ＭＡＣブロックをエンコードできる。移動局は、また、ＢＳＮ＝ｂ＋１のＲＬＣ／ＭＡＣブロックをプリエンコードできる。
【００４３】
この実施形態に対応する方法のフローチャートが、図１１に示されている。方法は、ワイヤレスチャネル上でＲＬＣ／ＮＡＣデータブロック＋ＰＡＮに対するポーリングを受信する、ブロック１１−１で始まる。ブロック１１−２において、移動局は、ポーリングに使用されたのと同じタイムスロット番号を有するアップリンクタイムスロットを使用して、ＲＬＣ／ＮＡＣデータブロック＋ＰＡＮに対するポーリングへの応答を伝送するように構成される。ブロック１１−３において、移動局は、ＰＡＮに対するポーリングに応答する無線ブロック期間内の、順序を外れたＲＬＣデータブロックを送信することが可能にされるように構成される。ブロック１１−４において、移動局は、モバイルデバイスの構成に従ったＰＡＮを含むＲＬＣ／ＮＡＣデータブロックを伝送する。いくつかの実施形態では、方法は、もしあれば、どのＵＳＦが送信されて、アップリンクデータブロック伝送をポーリングによって割り当てられた同じタイムスロット内に割り当てるかを知る前に、また、もしあれば、どのＵＳＦが送信されて、アップリンクデータブロック伝送を同じブロック期間内のポーリングによって割り当てられたタイムスロットよりも低い任意のタイムスロットに割り当てるかを知る前に、ＰＡＮを含むＲＬＣ／ＭＡＣデータブロックをエンコードする移動局をさらに含む。
【００４４】
第２の実施形態−移動局が、どのタイムスロットでポーリングが受信されるかに拘わらず、第１の割り当てられたタイムスロットによって規定された無線ブロック中のＰＡＮと共にＲＬＣデータブロックを伝送するように構成
いくつかの実施形態において、移動局が、データブロックを事前にエンコードできるオプションを可能にするために、移動局はＲＬＣデータブロックの伝送の順序に従うように、かつ、どのタイムスロットでポーリングが受信されるかに拘わらず、ＲＬＣデータブロックを第１の割り当てられたタイムスロットによって規定された無線ブロック中のＰＡＮと共に伝送する。
【００４５】
図２のようなネットワーク伝送を前提とすると、移動局の挙動は、図２と同じである。図３のようなネットワーク伝送を前提とすると、移動局の応答は、図６に図示されたようになる。タイムスロット＃１において、移動局は、１３０で示されるように、ＢＳＮ＝ｂのＲＬＣ／ＭＡＣブロックをＰＡＮと共に伝送する。タイムスロット＃２において、移動局は、１３２で示されるように、ＢＳＮ＝ｂ＋１のＲＬＣ／ＭＡＣブロックを伝送する。ここで、タイムスロットの番号付けは、ＰＡＮが、ポーリングに使用されたタイムスロットと同じ番号ではなく、タイムスロット＃１において伝送されるので、考慮されない。しかしながら、ＲＬＣブロックは、ＢＳＮ＝ｂ＋１のブロックの前に伝送されているＢＳＮ＝ｂのブロックと共に連続的に伝送される。しかしながら、このアプローチでは、移動局は、ポーリングが受信されるとすぐに、ＵＳＦを待つ必要なしに、ＢＳＮ＝ｂ＋ＰＡＮのＲＬＣ／ＭＡＣブロックをエンコードできる。移動局は、また、ＢＳＮ＝ｂ＋１のＲＬＣ／ＭＡＣブロックをプリエンコードできる。
【００４６】
この実施形態に対応する方法のフローチャートが、図１２に示されている。方法は、ワイヤレスチャネル上でＲＬＣ／ＭＡＣデータブロック＋ＰＡＮに対するポーリングを受信する、ブロック１２−１で始まる。ブロック１２−２において、移動局は、無線ブロック期間内の順序で、ＲＬＣブロックがＰＡＮと共に伝送されるかに無関係に、ＲＬＣデータブロックを伝送するように構成される。ブロック１２−３において、移動局は、どのタイムスロットでポーリングが受信されるかに拘わらず、第１の割り当てられたタイムスロットによって規定された無線ブロック内のＰＡＮと共に、ＲＬＣデータブロックを伝送する。ブロック１２−４において、移動局は、モバイルデバイスの構成に従ったＰＡＮを含むＲＬＣ／ＭＡＣデータブロックを伝送する。いくつかの実施形態では、方法は、もしあれば、どのＵＳＦが送信されて、アップリンクデータブロック伝送をポーリングによって割り当てられた同じタイムスロット内に割り当てるかを知る前に、また、もしあれば、どのＵＳＦが送信されて、アップリンクデータブロック伝送を同じブロック期間内のポーリングによって割り当てられたタイムスロットよりも低い任意のタイムスロットに割り当てるかを知る前に、ＰＡＮを含むＲＬＣ／ＭＡＣデータブロックをエンコードする移動局をさらに含む。
【００４７】
第３の実施形態−ネットワークにおいて、スケジューリングを実行し、ＰＡＮが、割り当てられたタイムスロットの第１のＵＬタイムスロット上で伝送されるべきことを確認する
他の実施形態において、上に記述された第２の実施形態とは逆に、ＰＡＮが、ポーリングが受信されたのと同じタイムスロット上で送信され、ブロックシーケンス番号が考慮されると予想される。しかしながら、ネットワークが、ＰＡＮに対するポーリングおよびアップリンクブロックの割り当てに責任のあることによって、ＰＡＮが送信されるべき無線ブロック期間を考慮して、ＰＡＮが、割り当てられたタイムスロットの第１のアップリンクタイムスロット上で送信されるべきであることを確実にする。
【００４８】
上の図２のようなネットワーク伝送を前提とすると、移動局の挙動は、図２と同じである。図３に図示されたネットワーク挙動は、この実施形態では可能にはされ得ない。むしろ、図７に図示されたネットワーク挙動が実装される。この場合、ネットワークは、いくつのスロットが割り当てられるべきかと、これらのスロットの第１のスロット中のＰＡＮに対するポーリングとを、前もって決定するか、あるいは、ＵＳＦ信号送信によってどの無線ブロックがモバイルに割り当てられるかを決定する場合、前に送信されたポーリングを考慮し、ポーリングが送信されたタイムスロットよりも低い任意のタイムスロットを、ＵＳＦ信号送信によって割り当てないかのいずれかである。タイムスロット＃１および＃２が割り当てられることを前提とすると（特定の例としてだけ）、ＰＡＮに対するポーリングは、タイムスロット＃１上で送信される。図７において、ネットワークは、１５０において、タイムスロット＃１中のＲＬＣデータブロック＋ＰＡＮに対するポーリングを伝送する。その後、ネットワークは、タイムスロット＃１のアップリンク割り当てを示すＵＳＦ１５２を含むブロックを伝送する。そして、ネットワークは、タイムスロット＃２のアップリンク割り当てを示すＵＳＦ１５４を含むブロックを伝送する。応答として、移動局は、１５６において、ＲＬＣ／ＭＡＣブロックＢＳＮ＝ｂをタイムスロット＃１中のＰＡＮと共に伝送し、そして、移動局は、１５８において、タイムスロット＃２中のＢＳＮ＝ｂ＋１のＲＬＣ／ＭＡＣブロックを伝送する。ＲＬＣブロックの順序付けは、ブロックｂがブロックｂ＋１の前に伝送されるという点において、考慮されていると見られ得、また、ポーリングと同じタイムスロット上で、ポーリングへの応答を伝送する要求は、また、ＲＬＣ＋ＰＡＮがタイムスロット＃１中で送信されるという点において、考慮されていると見られる。しかしながら、この例と図４の例との差は、ここでは移動局が、図４の場合のように、移動局がポーリングを受信するとすぐに、どのブロックがＰＡＮと一緒にエンコードされるかを見るのを待たずに、次のブロックをＰＡＮと共にエンコードできることである。
【００４９】
この実施形態に対応する方法のフローチャートが、図１３に示されている。方法は、ワイヤレスチャネル上でＲＬＣ／ＮＡＣデータブロック＋ＰＡＮに対するポーリングを受信する、ブロック１３−１で始まる。ブロック１３−２において、移動局は、方法は、もしあれば、どのＵＳＦが送信されて、アップリンクデータブロック伝送をポーリングによって割り当てられた同じタイムスロット内に割り当てるかを知る前に、また、もしあれば、どのＵＳＦが送信されて、アップリンクデータブロック伝送を同じブロック期間内のポーリングによって割り当てられたタイムスロットよりも低い任意のタイムスロットに割り当てるかを知る前に、ＰＡＮを含むＲＬＣ／ＭＡＣデータブロックをエンコードする。ブロック１３−３において、移動局は、ポーリングが受信された同じタイムスロット上でＰＡＮを伝送するように構成されている。ブロック１３−４において、移動局は、特定の順序に従ってブロックを伝送するように構成されている。ブロック１３−５において、移動局は、ＰＡＮを含むＲＬＣ／ＭＡＣデータブロックを伝送する。
【００５０】
この実施形態に対応する方法のフローチャートが、ネットワークによる実行に対して図１６に示されている。方法は、ＲＬＣデータブロック伝送に対するアップリンクブロック＋ＰＡＮを割り当てるために、ＰＡＮに対するポーリングを伝送するブロック１６−１で始まる。ブロック１６−２において、少なくとも１つのアップリンクブロックを割り当てるために、ネットワークは、少なくとも１つのＵＳＦを伝送し、ポーリングおよび、少なくとも１つのＵＳＦは、最も初期のアップリンクブロックを含む複数のアップリンクブロックを集合的に割り当てる。ブロック１６−３において、ＰＡＮが送信されるべき無線ブロック期間を考慮して、ＰＡＮに対するポーリングが常に、複数のアップリンクブロックのうちの最も初期のアップリンクブロックを割り当てるために使用されるように、ポーリングおよび少なくとも１つのＵＳＦが存在するように、ネットワークが割り当てを実行する。
【００５１】
いくつかの実施形態において、移動局は、ネットワーク割り当てが第３の実施形態によって期待されるネットワーク割り当てとは一致していない場合（例えば、基地局が誤設定されている場合のように）、本明細書に記述された他の実施形態のうちの１つ（例えば、第１、第２あるいは第４の実施形態）を実装するように構成されている。この方法で進めることによって、移動局は、事前にデータブロックのコーディングを進めることができる。
【００５２】
第４の実施形態−移動局が、どのタイムスロットでポーリングが受信されるかに拘わらず、モバイルに割り当てられた適切な無線ブロック期間中の任意のアップリンクタイムスロット上のポーリングに応答して送信されるＰＡＮを含むことが可能にされる構成
この実施形態において、移動局は、どのタイムスロットでポーリングが受信されるかに拘わらず、移動局に割り当てられた適切な無線ブロック期間中の任意のアップリンクタイムスロット上のポーリングに応答して送信されるＰＡＮを含むことを可能にされる。移動局は、この実施形態のブロックシーケンス番号付けを考慮するように構成されている。より一般には、いくつかの実施形態において、ネットワークによるスケジューリングが、移動局が特定の順序でブロックを伝送でき、ポーリングに使用されたのと同じタイムスロットのポーリングに応答できることを確実にすることに失敗する場合、移動局が事前にブロックをエンコードすることを可能にするように、移動局は、ＲＬＣデータブロック＋ＰＡＮに対するポーリングに応答する他の方法を実装するようにさらに構成されている。
【００５３】
この実施形態に対応する方法のフローチャートが、図１４に示されている。方法は、ワイヤレスチャネル上でＲＬＣ／ＮＡＣデータブロック＋ＰＡＮに対するポーリングを受信する、ブロック１４−１で始まる。ブロック１４−２は、移動局が、どのタイムスロットでポーリングが受信されるかに拘わらず、移動局に割り当てられた適切な無線ブロック期間内の任意のアップリンクタイムスロット上でポーリングに応答して送信されたＰＡＮを含むことを可能にされるように構成することを包含する。ブロック１４−３において、移動局は、ブロックシーケンス番号を考慮するように構成される。ブロック１４−４において、移動局は、ＰＡＮを含むＲＬＣ／ＭＡＣデータブロックを伝送する。いくつかの実施形態において、方法は、もしあれば、どのＵＳＦが送信され、アップリンクデータブロック伝送をポーリングによって割り当てられた同じタイムスロット内に割り当てるかを知る前に、また、もしあれば、どのＵＳＦが送信され、アップリンクデータブロック伝送を同じブロック期間内のポーリングによって割り当てられたタイムスロットよりも低い任意のタイムスロットに割り当てるかを知る前に、ＰＡＮを含むＲＬＣ／ＭＡＣデータブロックをエンコードする移動局をさらに含む。
【００５４】
実際には、第４の実施形態は、第４の実施形態の自由を前提とする場合であっても、移動局は、なおも、（ポーリングによる以外の）任意のさらなるリソースを割り当てるという、最悪の場合のシナリオを考慮する必要があるので、第２の実施形態に単純化され得ることに注意が必要である。そのように、１つのブロックを伝送することのみを可能にされる場合に伝送されるブロックのＰＡＮをエンコードすることを進めるであろう。
【００５５】
第１、第２および第３の実施形態は、次のように要約される。
【００５６】
ＰＡＮは、（ポーリングによって割り当てられたリソース上で）１つのブロックを伝送することがただ可能にされるだけの場合、移動局が伝送するブロックと一緒にエンコードされる。そして、第１の実施形態と、第２および第３の実施形態との差は、ブロックが伝送される順序であり、第２と第３の実施形態の差は、第３の実施形態のようにネットワークによって挙動が実行されるか、あるいは、第２の実施形態のように移動局によって挙動が単に実行されるかである。
【００５７】
下の表１は、それぞれの実施形態に適用され得る規則、および、実現され得るいくつかの利点／不利点のサマリーを含む。
【００５８】
【表１】
2010226722.tif 000003
すべての場合において、原理的利益は、移動が、どのＵＳＦ（もし、あれば）が送信されアップリンクリソースを割り当てるかを知る前に、必要に応じて（単数あるいは複数の）ＰＡＮを含む、ＲＬＣ／ＭＡＣデータブロックを（しかし、必ずしも要求されないが）エンコードできることである。
【００５９】
本願の実施形態によって提供される方法のフローチャートが、図１５に示されている。方法は、移動局によって実行され、ワイヤレスチャネル上でＲＬＣ／ＭＡＣデータブロック＋ＰＡＮに対するポーリングを受信するブロック１５−１で始まる。ブロック１５−２において、移動局は、どのＵＳＦ（もし、あれば）が受信され、ポーリングによって割り当てられた同じタイムスロットに、アップリンクデータブロック伝送を割り当てるかを知る前に、かつ、どのＵＳＦ（もし、あれば）が受信され、同じブロック期間内のポーリングによって割り当てられたタイムスロットよりも低いタイムスロット中のアップリンク伝送を割り当てるかを知る前に、ＰＡＮを含むＲＬＣ／ＭＡＣデータブロックをエンコードする。
【００６０】
ネットワークは、アップリンクリソースを割り当てるとき、ポーリングによる割り当ておよびＵＳＦによる割り当てが「衝突」しない、つまり、同じアップリンクリソースを異なる移動局に割り当てることを、常に確実にすべきである。図８の例では、同じタイムスロットが、１７０においてポーリングと共に割り当てられ、１７２においてＵＳＦと共に割り当てられる。任意の事象中のポーリングに使用されるタイムスロット上のＵＳＦは、ポーリングされたものと同じ移動局に属するか、あるいは、使用されていない値であるか、のいずれかである。それぞれのダウンリンクスロットは、ＵＳＦを含み、ＵＳＦは割り当てられたＴＢＦを参照し得るか、あるいはそうでない。従って、使用されていない値を含むＵＳＦは、ＵＳＦがどのような割り当てられたＴＢＦも参照しないことを単に意味する。しかしながら、この場合、同じ移動局に属するＵＳＦ（つまり、ＵＳＦ１７２）が送信されることに注意すべきであり、実際、移動がアップリンクＴＢＦを有さないか、あるいはタイムスロット＃２上のアップリンク割り当てを有さない場合、これは不可能であり得る。
実施形態：  −ＵＳＦおよびポーリングが異なるタイムスロットを参照し、ポーリングがポーリングとは異なるタイムスロット上で送信される。
【００６１】
他の実施形態が、ＵＳＦおよびポーリングそれぞれが異なるタイムスロットを参照し、かつ、ポーリングへの応答がポーリングのものとは異なるタイムスロット上で送信される状況を扱う特別な方法を提供する。いくつかの実施形態において、上に記述された第２および第４の実施形態のように、移動局は、ポーリングが受信されたものと同じタイムスロット番号上では、ＰＡＮを伴うＲＬＣデータブロックを必ずしも伝送しない。これは、移動局がまた、他のアップリンクブロックを割り当てる他の有効なＵＳＦを受信したことを暗示することに注意が必要であり、このことは、移動が進行中のアップリンクＴＢＦを有することを暗示する。
【００６２】
いくつかの実施形態において、移動局は、ポーリングを、ポーリングが受信されたのと同じタイムスロット上で、ポーリングによって示されたブロック上のアップリンクＲＬＣデータブロックの伝送に対する割り当てとして扱うように構成され、アップリンクブロックがＵＳＦによって（ブロックが、その移動に対する有効なＵＳＦによって実際に割り当てられたか、あるいは割り当てられなかったかのいずれにせよ）割り当てられたかのように、ＲＬＣデータブロックを伝送する。
【００６３】
この挙動の例が、図９に図示されている。ネットワークは、２００において、タイムスロット＃２のＲＬＣ／ＭＡＣデータブロック＋ＰＡＮに対するポーリングを移動局に伝送する。ネットワークは、同じ移動局へのＵＳＦ割り当てを含むブロックを、タイムスロット＃１中の２０２において伝送し、割り当てられていないＵＳＦを含むブロックを、タイムスロット＃２中の２０４において伝送する。割り当てられていないＵＳＦを伝送することは、他のユーザにタイムスロットを割り当てないことと同等である。応答として、タイムスロット＃１を割り当てるＵＳＦの組み合わせ、およびタイムスロット＃２上で伝送されたポーリングは、スロット１およびスロット２の両方の上でＲＬＣ／ＭＡＣブロック伝送に対するアップリンク割り当てとして集合的に扱われる。従って、移動局は、ＲＬＣ／ＭＡＣデータブロック＋ＰＡＮを、２０６におけるタイムスロット＃１上で送信する。そうすることで、移動は、異なるタイムスロット（タイムスロット＃１）上のＰＡＮを、ポーリングが受信されたタイムスロット（タイムスロット＃２）（上に記述された第２および第４の実施形態と矛盾しない）から送信するが、タイムスロット＃２上のアップリンクデータブロックを明確に割り当てる移動局によっては、どのＵＳＦも受信されなかった。移動局は、２０８においてタイムスロット＃２上でＲＬＣデータブロックを伝送することによって、タイムスロット＃２上のリソースを割り当てる（たとえ、そのタイムスロット上でアップリンク割り当てがない場合でも、リソースを割り当てるために送信され得た可能性のあるＵＳＦがないことを意味する）有効なＵＳＦを受信したかのように働く。
【００６４】
上に記述された実施形態は、タイムスロット＃ｎ上で割り当てあるいはポーリングを受信する移動局が、タイムスロット＃ｎ上で伝送することが予測され、ＲＬＣ／ＭＡＣデータブロック＋ＰＡＮ状態を取り扱うための例外に従うことを前提とした。これは、例えば、バックグラウンドで記述されたＢＴＴＩ割り当てに適用可能である。本明細書に記述された実施形態は、また、通常、一対のダウンリンクタイムスロット上で割り当てあるいはポーリングを受信する移動局が、アップリンクタイムスロットの対応する対の上で送信するように予期される、ペアワイズ割り当てに適用可能である。ダウンリンクタイムスロット対のタイムスロット番号および、応答が送信される、対応するアップリンクタイムスロット対のタイムスロット番号は、同一である必要はないが、アップリンクタイムスロット対に対するタイムスロット番号において、ダウンリンクタイムスロット対への所定の関係が存在する。これは、例えば、ＲＴＴＩ（縮小伝送時間間隔  Ｒｅｄｕｃｅｄ  Ｔｒａｎｓｍｉｓｓｉｏｎ  Ｔｉｍｅ  Ｉｎｔｅｒｖａｌ）割り当ての場合である。
【００６５】
従って、ＢＴＴＩおよびＲＴＴＩの両方に対して、割り当てられたアップリンクスロットは、ＵＳＦを含むダウンリンクスロットと一致するが、対応の性質は異なっている。ＢＴＴＩに対しては、対応スロットは同じスロット番号を有する。ＲＴＴＩに対しては、対応するスロットは必ずしも同じスロット番号を有さない。従って、ＲＴＴＩの実装に対して、ＢＴＴＩに適用可能な「同じタイムスロット番号」への参照は、「対応するタイムスロット対」を参照するように取られ得る。３ＧＧＰ仕様は、本質的に「タイムスロット対」と同義である「ＰＤＣＨ対」をまた参照する。
【００６６】
図１７は、システムのブロックダイアグラムであり、その中では１つ以上の上に記述された実施形態が実装され得る。ネットワークデバイス２１０で表されるように、ネットワークとの無線通信における移動局２００がある。移動局２００は、少なくとも１つのアンテナ２０２と、（一緒に送受信機として実装され得る）伝送機２０２および受信機２０４と、ＵＳＦおよびポーリングプロセッサ２０８とを有する。ＵＳＦおよびポーリングプロセッサは、ハードウェアとして、あるいは、例えば、プロセッサ上で実行されるソフトウェアとハードウェアとの組み合わせとして実装され得る。ネットワークデバイス２１０は、少なくとも１つのアンテナ２１４と、（一緒に送受信機として実装され得る）伝送機２１６および受信機２１８と、およびスケジューラ２２０とを有する。スケジューラは、ハードウェア内に、あるいは、例えば、プロセッサ上で実行されるソフトウェアとハードウェアの組み合わせで実装され得る。
【００６７】
図１７において、スケジューラおよび伝送機＋受信機は、同じネットワーク構成部品の一部分として示されている。他の実施形態において、これらの要素は、異なるネットワークの要素の一部分として実装される。例えば、スケジューラは、ＢＳＣ（基地局コントローラ）内に実装され得、また、伝送機＋受信機は基地局内に実装される。
【００６８】
動作では、スケジューラは、どの（移動局２０２のような）移動局がどのアップリンクリソースを獲得すべきかを決定する責任がある。スケジューラは、アップリンクリソースを割り当てるＵＳＦを、いつ伝送すべきか、および、ＲＬＣ／ＭＡＣブロック＋ＰＡＮに対するポーリングをいつ伝送すべきかを決定する。本願の特定の実施形態が、スケジューラ２２０、伝送機２１６および受信機２１８が、上に記述された図１４の方法を実装するように構成されているネットワークデバイス２１０を提供する。
【００６９】
動作では、ＵＳＦおよびポーリングプロセス２０８、伝送機２０４および受信機２０６がＵＳＦおよびポーリングを集団的に受信し、応答として、アップリンクデータブロックを生成し伝送する。特定の実施形態において、本願は、移動デバイス２００を提供し、その中では、伝送機２０４、受信機２０６および、ＵＳＦおよびポーリングプロセッサ２０８が、図９の方法、図１０の方法、図１１の方法、図１２の方法、あるいは図１３の方法を集団的に実装するように構成されている。
【００７０】
（ワイヤレスデバイス）
ここで、図１０を参照すると、例えば、本開示において説明されるモバイルデバイスの方法のうちの任意の方法を実装し得るワイヤレスデバイス１００のブロック図が示される。ワイヤレスデバイス１００が、例示的な目的のみのために、非常に具体的な詳細と共に示されることが理解されるべきである。処理デバイス（マイクロプロセッサ１２８）は、キーボード１１４とディスプレイ１２６との間に連結されるように概略的に示される。マイクロプロセッサ１２８は、ユーザによってキーボード１１４上のキーの作動に応答するディスプレイ１２６の動作、およびワイヤレスデバイス１００の動作全体を制御する。
【００７１】
ワイヤレスデバイス１００は、垂直方向に細長くあり得るか、または他のサイズおよび形状（クラムシェルハウジング構造を含む）をとり得るハウジングを有する。キーボード１１４は、モード選択キー、あるいはテキストエントリとテレフォニーエントリとの間を切り替える他のハードウェアまたはソフトウェアを含み得る。
【００７２】
マイクロプロセッサ１２８に加え、ワイヤレスデバイス１００の他の部品が概略的に示される。これらは、通信サブシステム１７０と、短距離通信サブシステム１０２と、キーボード１１４およびディスプレイ１２６と、他の入力／出力デバイス（一組のＬＥＤ１０４、一組の補助Ｉ／Ｏデバイス１０６、シリアルポート１０８、スピーカ１１１およびマイクロフォン１１２を含む）と、メモリデバイス（フラッシュメモリ１１６およびランダムアクセスメモリ（ＲＡＭ）１１８を含む）と、様々な他のサブシステム１２０とを含む。ワイヤレスデバイス１００は、ワイヤレスデバイス１００のアクティブ要素に電力供給するバッテリ１２１を有し得る。ワイヤレスデバイス１００は、一部の実施形態において、音声およびデータ通信能力を有する双方向無線周波数（ＲＦ）通信デバイスである。加えて、一部の実施形態において、ワイヤレスデバイス１００は、インターネットを介して他のコンピュータシステムと通信する能力を有する。
【００７３】
マイクロプロセッサ１２８によって実行されるオペレーティングシステムソフトウェアは、一部の実施形態において、持続性格納装置（例えば、フラッシュメモリ１１６）に格納されるが、他のタイプのメモリデバイス（例えば、リードオンリーメモリ（ＲＯＭ）または同様の格納要素）に格納され得る。さらに、システムソフトウェア、特定デバイスアプリケーションまたはそれらの一部が、揮発性格納装置（例えば、ＲＡＭ  １１８）に一時的にロードされ得る。ワイヤレスデバイス１００によって受信される通信信号もまたＲＡＭ１１８に格納され得る。
【００７４】
マイクロプロセッサ１２８は、そのオペレーティングシステム機能に加えて、ワイヤレスデバイス１００上でソフトウェアアプリケーションの実行を可能にする。基本デバイス動作（例えば、音声通信モジュール１３０Ａおよびデータ通信モジュール１３０Ｂ）を制御する好適な組のソフトウェアアプリケーションは、製造の間に、ワイヤレスデバイス１００にインストールされ得る。加えて、個人情報マネージャ（ＰＩＭ）アプリケーションモジュール１３０Ｃも、また、製造の間にワイヤレスデバイス１００上にインストールされ得る。ＰＩＭアプリケーションは、一部の実施形態において、データアイテム（例えば、ｅ−ｍａｉｌ、カレンダーイベント、音声メール、アポイントメント、およびタスクアイテム）を編集し、管理することができる。ＰＩＭアプリケーションは、また、一部の実施形態において、ワイヤレスネットワーク１１０を介してデータアイテムを送受信することができる。一部の実施形態において、ＰＩＭアプリケーションによって管理されるデータアイテムは、ワイヤレスネットワーク１１０を介して、ホストコンピュータシステムに格納されたか、このホストコンピュータシステムと関連するデバイスユーザの対応するデータアイテムにシームレスに一体化され、同期され、そして更新される。同様に、別のソフトウェアモジュール１３０Ｎとして示された追加のソフトウェアモジュールは、製造の間にインストールされ得る。
【００７５】
通信機能（データおよび音声通信を含む）は、通信サブシステム１７０を介して、そして可能性としては、短距離通信サブシステム１０２を介して行われる。通信サブシステム１７０は、受信機１５０と、伝送機１５２と、１以上のアンテナ（受信アンテナ１５４および伝送アンテナ１５６によって示される）とを含む。さらに、通信サブシステム１７０は、また、処理モジュール（例えば、デジタル信号プロセッサ（ＤＳＰ）１５８）と、ローカルオシレータ（ＬＯ）１６０とを含む。伝送機１５２および受信機１５０を含む通信サブシステム１７０は、詳細に上述された実施形態のうちの１つ以上を実装する機能性を含む。通信サブシステム１７０の特定の設計および実装は、通信ネットワークに依存し、このネットワークにおいて、ワイヤレスデバイス１００が動作することを意図される。例えば、ワイヤレスデバイス１００の通信サブシステム１７０は、ＭｏｂｉｔｅｘＴＭ、ＤａｔａＴＡＣＴＭまたはＧｅｎｅｒａｌ  Ｐａｃｋｅｔ  Ｒａｄｉｏ  Ｓｅｒｖｉｃｅ（ＧＰＲＳ）モバイルデータ通信ネットワークと共に動作するように設計され得、また、種々の音声通信ネットワーク（例えば、アドバンスドモバイルフォンサービス（ＡＭＰＳ）、時分割多重アクセス（ＴＤＭＡ）、符号分割多重アクセス（ＣＤＭＡ）、パーソナル通信サービス（ＰＣＳ）、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）など）のうちの任意のものとも動作するように設計され得る。ＣＤＭＡの例は、１Ｘおよび１ｘ  ＥＶ−ＤＯを含む。通信サブシステム１７０は、また、８０２．１１Ｗｉ−Ｆｉネットワーク、および／または８０２．１６ＷｉＭＡＸネットワークと動作するようにも設計され得る。他のタイプのデータおよび音声ネットワーク（別個および一体型の両方を含む）は、また、ワイヤレスデバイス１００と共に利用され得る。
【００７６】
ネットワークアクセスは、通信システムのタイプに依存して変更し得る。例えば、ＭｏｂｉｔｅｘＴＭおよびＤａｔａＴＡＣＴＭネットワークにおいて、ワイヤレスデバイスは、一意的な各デバイスに関連するパーソナルＩＤ番号（ＰＩＮ）を用いて、ネットワーク上に登録される。しかし、ＧＰＲＳネットワークにおいて、ネットワークアクセスは、典型的には、デバイスの加入者またはユーザに関連付けられる。それゆえ、ＧＰＲＳデバイスは、ＧＰＲＳネットワーク上で動作するために、典型的には、加入者識別モジュール（一般的には加入者識別モジュール（ＳＩＭ）カードといわれる）を有する。
【００７７】
ネットワーク登録または起動手順が完了したとき、ワイヤレスデバイス１００は、通信ネットワーク１１０を介して、通信信号を送受信し得る。受信アンテナ１５４によって、通信ネットワーク１１０から受信された信号は、受信機１５０にルーティングされ、受信機１５０は、信号増幅、周波数下方変換、フィルタリング、チャネル選択などを提供し、さらにアナログデジタル変換も提供し得る。受信信号のアナログデジタル変換は、ＤＳＰ１５８が、より複雑な通信機能（例えば、復調および復号）を行うことを可能にする。類似の態様で、ネットワーク１１０に伝送されるべき信号は、ＤＳＰ１５８によって処理（例えば、変調または符号化）され、次いで、デジタルアナログ変換、周波数情報変換、フィルタリング、増幅および伝送アンテナ１５６を介した（１つまたは複数の）通信ネットワーク１１０への伝送のために、伝送機１５２に提供される。
【００７８】
通信信号を処理することに加え、ＤＳＰ１５８は、受信機１５０および伝送機１５２の制御を提供する。例えば、受信機１５０および伝送機１５２において適用される利得は、ＤＳＰ１５８に実装される自動利得制御アルゴリズムを介して、適応的に制御される。
【００７９】
データ通信モードにおいて、受信信号（例えば、テキストメッセージまたはダウンロードされたウェブページ）は、通信サブシステム１７０によって処理され、マイクロプロセッサ１２８に入力される。次いで、受信信号は、ディスプレイ１２６への、または代替的には一部の補助Ｉ／Ｏデバイスへの出力のためにさらに処理される。デバイスユーザは、また、データアイテム（例えば、ｅ−ｍａｉｌメッセージ）を、キーボード１１４および／または一部の他の補助Ｉ／Ｏデバイス１０６（例えば、タッチパッド、ロッカスイッチ、サムホイール、または一部の他のタイプの入力デバイス）を用いて、構成し得る。構成されたデータアイテムは、次いで、通信サブシステム１７０を介して、通信ネットワーク上をわたって伝送され得る。
【００８０】
音声通信モードにおいて、デバイスの動作全体は、実質的にデータ通信モードと類似しており、受信信号がスピーカ１１１に出力され、伝送のための信号がマイクロフォン１１２によって生成される。代替の音声またはオーディオＩ／Ｏサブシステム（例えば、音声メッセージ録音サブシステム）もまた、ワイヤレスデバイス１００に実装され得る。さらに、ディスプレイ１２６は、また、例えば、音声通信モードにおいて利用され得、通話相手のＩＤ、音声コールの持続時間、または他の音声コール関連情報を表示する。
【００８１】
短距離通信サブシステム１０２は、ワイヤレスデバイス１００と、他の近位のシステムまたはデバイスとの間の通信を可能にし、他の近位のシステムまたはデバイスは必ずしも類似のシステムである必要はない。例えば、短距離通信サブシステムは、赤外デバイスおよびその関連回路およびコンポーネントを含み得るか、またはＢｌｕｅｔｏｏｔｈＴＭ通信モジュールを含み得、同様に利用可能なシステムおよびデバイスとの通信を提供する。
【００８２】
一部の実装において、ワイヤレスデバイス１００は、複数のモードで動作可能であり、その結果、ワイヤレスデバイス１００は、ＣＳ（回路交換）およびＰＳ（パケット交換）通信の両方において従事し得、通信の１つのモードから、通信の別のモードへ、連続性を失うことなく移行し得る。他の実装が実行可能である。
【００８３】
特定の実施形態において、ピギーバック方式ＡＣＫ／ＮＡＣＫビットマップによって、アップリンクデータブロック伝送を割り当て、伝送する上記の方法のうちの１つ以上が、通信サブシステム１７０、マイクロプロセッサ１２８、ＲＡＭ  １１８、およびデータ通信モジュール１３０Ｂによって実装され得、これらは本明細書において説明された複数の方法のうちの１つ以上を実装するように集合的に適切にされている。
【００８４】
上述の実施形態の全ては、ＰＡＮを用いたアップリンクＲＬＣブロックの割り当てにポーリングを使用することに言及し、ＰＡＮを用いたＲＬＣブロックのその後続く伝送に言及している。より一般的には、実施形態は、制御情報と組み合わせて、ユーザデータの伝送のための特定の無線ブロック期間内のアップリンク無線ブロックの割り当ておよび／または伝送に適用可能であり、以後ＤＢＣＣＩ（Ｄａｔａ  Ｂｌｏｃｋ  Ｃｏｍｂｉｎｅｄ  ｗｉｔｈ  Ｃｏｎｔｒｏｌ  Ｉｎｆｏｒｍａｔｉｏｎ）という。ＰＡＮを用いたアップリンクＲＬＣの割り当ておよび／または伝送において要求されたＡＣＫ／ＮＡＣＫは、制御情報の具体例である。ＲＬＣブロックは、無線ブロックの具体例である。従って、ＰＡＮを有するＲＬＣブロックは、ＤＢＣＣＩの具体例である。ＲＬＣブロックに対するポーリングにＰＡＮを加えたものは、ＤＢＣＣＩに対する要求の具体例である。
【００８５】
上述された実施形態の全ては、ＵＳＦメカニズムを介したアップリンクＲＬＣブロックの割り当てに言及している。より一般的には、これらの実施形態は、ユーザデータの伝送の目的のアップリンク無線ブロックを割り当てる任意の割り当てメカニズムに適用可能である。このような割り当ての伝送は、ＵＡＤＢ（データブロックに対するアップリンク割り当て）の伝送という。ＵＳＦは、ＵＡＤＢの具体例である。
【００８６】
実施形態は、その大部分が方法として説明されてきた。さらなる実施形態は、コンピュータ読み取り可能な媒体であって、その上に移動局による実行のためのコンピュータ実行可能な命令が格納され、該コンピュータ実行可能な命令は、実行されると、本明細書において説明された方法のうちの任意の方法を移動局に実行させる。
【００８７】
さらなる実施形態は、コンピュータ読み取り可能な媒体であって、その上に（１つまたは複数の）ネットワークデバイスによる実行のためのコンピュータ実行可能な命令が格納され、該コンピュータ実行可能な命令は、実行されると、本明細書において説明されたネットワーク方法のうちの任意の方法を（１つまたは複数の）ネットワークデバイスに実行させる。
【００８８】
さらなる実施形態は、本明細書で説明された移動局の方法のうちの任意の方法を実行するように構成された移動局を提供する。このような移動局は、例えば、少なくとも１つのアンテナと、少なくとも１つのワイヤレスアクセス無線と、これらの方法のうちの１つを実行するように移動局を制御するコンポーネントのうちの１つまたは組み合わせとを含み得る。一部の実施形態において、コンポーネントのうちの１つまたは組み合わせは、少なくとも１つのプロセッサを備えている。特定の例において、コンポーネントのうちの１つまたは組み合わせは、通信サブシステム（例えば、図１０の通信サブシステム１７０）を備えている。別の具体例において、コンポーネントは、図１７のＵＳＦおよびポーリングプロセッサ２０８を備える。コンポーネントのうちの１つまたは組み合わせは、ハードウェア、あるいはハードウェアによってアクセス可能であり、実行されるように格納されたソフトウェアおよび／またはファームウェアと組み合わされたハードウェアを備え得る。
【００８９】
さらなる実施形態は、本明細書において説明されたネットワーク方法の任意の方法を実行するように構成された１つまたは複数のネットワークデバイスを提供する。
【００９０】
本願の多くの修正および変形は、上記の教示を考慮して可能である。それゆえ、添付の特許請求の範囲内で、実施形態は、本明細書において具体的に説明されるものと異なるように実行され得ることが理解されるべきである。
【符号の説明】
【００９１】
３０  ダウンリンクフレーム
３２  アップリンクフレーム
４０  ＢＴＴＩブロック
５０  ＲＴＴＩダウンリンク伝送
５１  ＲＴＴＩアップリンク伝送
【図１Ａ】
2010226722.tif 000004
【図１Ｂ】
2010226722.tif 000005
【図２】
2010226722.tif 000006
【図３】
2010226722.tif 000007
【図４】
2010226722.tif 000008
【図５】
2010226722.tif 000009
【図６】
2010226722.tif 000010
【図７】
2010226722.tif 000011
【図８】
2010226722.tif 000012
【図９】
2010226722.tif 000013
【図１０】
2010226722.tif 000014
【図１１】
2010226722.tif 000015
【図１２】
2010226722.tif 000016
【図１３】
2010226722.tif 000017
【図１４】
2010226722.tif 000018
【図１５】
2010226722.tif 000019
【図１６】
2010226722.tif 000020
【図１７】
2010226722.tif 000021